(57)【要約】      （修正有）【課題】マスクパックの使用の際に、ユーザーが簡便な方法でマスクパック用液体をマスクシートに混合して使用できるマスクパックを提供する。【解決手段】マスクパックは、マスクシート１１０を収容し、一面に貫通孔が設けられたポーチ１００及びプレート状の中央部が上方に凸状に突出して収容部を形成し、収容部に美容液が収容され、収容部はポーチ１００の貫通孔を介して外部に突出し、収容部を除いた部分はポーチ１００の内部でポーチ１００の内側面に固定される本体２１０と、本体の下面をカバーリングして収容部を密閉し、外力によって切開または除去されて美容液がポーチ１００の内部に吐出されることによりマスクシート１１０に含浸されるようにするカバー部２２０とを含むブリスターを含むことができる。【選択図】図４
2019155051.tif 000002
【特許請求の範囲】
【請求項１】
マスクシートを収容し、一面に貫通孔が設けられたポーチ及び
プレート状の中央部が上方に凸状に突出して収容部を形成し、収容部に美容液が収容され、収容部はポーチの貫通孔を介して外部に突出し、収容部を除いた部分はポーチの内部でポーチの内側面に固定される本体と、該本体の下面をカバーリングして収容部を密閉し、外力によって切開または除去されて美容液がポーチの内部に吐出されることによりマスクシートに含浸されるようにするカバー部とを含むブリスターを含む、マスクパック。
【請求項２】
カバー部が高分子化合物からなることを特徴とする、請求項１に記載のマスクパック。
【請求項３】
カバー部は本体の下面に接着されて収容部を密閉することを特徴とする、請求項１に記載のマスクパック。
【請求項４】
カバー部は、一定の厚さに形成され、幅方向に横切る一定の長さの溝を有することを特徴とする、請求項２に記載のマスクパック。
【請求項５】
溝は、カバー部からポーチの内部に向かって露出する側に設けられたことを特徴とする、請求項４に記載のマスクパック。
【請求項６】
ブリスターが曲がるように本体の両端部に一定の大きさ以上の外力が作用するとき、カバー部に設けられた溝が切開され、収容部に収容された美容液がポーチの内部に吐出されることによりマスクシートに含浸されることを特徴とする、請求項４に記載のマスクパック。
【請求項７】
カバー部は、本体の下面をカバーリングして収容部を密閉する密閉部と、密閉部の一端から延びて形成された引き手部とを含むことを特徴とする、請求項１に記載のマスクパック。
【請求項８】
密閉部は本体の下面に接着されて収容部を密閉することを特徴とする、請求項７に記載のマスクパック。
【請求項９】
引き手部は密封部の一端から本体の最大長さよりも長く延びて形成されたことを特徴とする、請求項７に記載のマスクパック。
【請求項１０】
引き手部は、一端部が本体の下面に接着され、他端部は本体の下面に接着された一端部を基準に密閉部の他端側に折り畳まれたことを特徴とする、請求項７に記載のマスクパック。
【請求項１１】
ポーチの一面には、引き手部の他端部が貫通するスリットが設けられたことを特徴とする、請求項１０に記載のマスクパック。
【請求項１２】
ブリスターがポーチに固定されるとき、引き手部の他端部はポーチに設けられたスリットを貫通して外部に露出することを特徴とする、請求項１１に記載のマスクパック。
【請求項１３】
本体の一面には、引き手部の他端部が貫通するスリットが設けられたことを特徴とする、請求項１０に記載のマスクパック。
【請求項１４】
ポーチに設けられた貫通孔がブリスターの収容部よりも大きい場合には、ブリスターがポーチに固定されるとき、引き手部の他端部は本体に設けられたスリット及びポーチの貫通孔を貫通して外部に露出することを特徴とする、請求項１３に記載のマスクパック。
【請求項１５】
引き手部の他端部に一定の大きさ以上の外力が作用するとき、本体の下面に接着されて収容部を密閉する密閉部が除去され、収容部に収容された美容液がポーチの内部に吐出されることによりマスクシートに含浸されることを特徴とする、請求項１２または１４に記載のマスクパック。
【請求項１６】
ブリスターは、
収容部の縁における一部の区間であって、カバー部に接着され、収容部に一定の大きさ以上の圧力が作用する場合に接着が分離される第１接着部と、
収容部の縁における、第１接着部を除いた残りの区間であって、カバー部に接着され、第１接着部よりも接着力が強い第２接着部と、
第１接着部の外側に設けられ、本体とカバー部とが接着されていない一定の面積の非接着区間と、
収容部の縁及び非接着区間の外側であって、本体とカバー部とが接着される第３接着区間と、
非接着区間でカバー部が切開されて形成された切開ラインとを含むことを特徴とする、請求項１に記載のマスクパック。
【請求項１７】
収容部の一端と他端の縁は弧状からなり、第１接着部は収容部の他端の縁と同じ曲率を有する形状であることを特徴とする、請求項１６に記載のマスクパック。
【請求項１８】
第１接着部は本体とカバー部とがエンボス結合によって物理的に結合されることを特徴とする、請求項１６に記載のマスクパック。
【請求項１９】
第２接着部は接着剤を用いて本体とカバー部とが化学的に結合されることを特徴とする、請求項１６に記載のマスクパック。
【請求項２０】
非接着区間は内側端、外側端及び両側端から構成されることを特徴とする、請求項１６に記載のマスクパック。
【請求項２１】
第２接着部は非接着区間の両側端にまで延びて形成されることを特徴とする、請求項２０に記載のマスクパック。
【請求項２２】
内側端は収容部の他端部の縁から一定距離離隔して形成され、外側端は内側端から一定距離離隔して形成され、両側端は第２接着部の内側に形成されることを特徴とする、請求項２０に記載のマスクパック。
【請求項２３】
切開ラインは、非接着区間で第１接着部から一定距離離隔した位置に非接着区間の外側端に向かって凸な曲線状に切開されて形成されることを特徴とする、請求項１６に記載のマスクパック。
【請求項２４】
収容部に一定の大きさ以上の圧力が作用して第１接着部が分離されて収容部内の美容液が吐出されるとき、切開ラインの形成されたカバー部が下方に折り曲げられ、折り曲げられた空間に吐出孔が生成され、吐出孔を介して美容液がポーチの内部に吐出されることによりマスクシートに含浸されることを特徴とする、請求項１６に記載のマスクパック。
【発明の詳細な説明】
【技術分野】
【０００１】
本発明は、マスクパックに係り、より詳細には、美容液をマスクパックシートとは分離して別途に保管するマスクパックに関する。
【背景技術】
【０００２】
最近、女性だけでなく、男性も自分たちのイメージ管理のために皮膚美容に多くの関心を傾けている。特に、皮膚をハリのある清潔な状態に保って肌の老化を防止するための関心が日増しに高まっており、これに合わせて皮膚改善のための様々な製品が市場に登場しており、その中でも顔の皮膚美容のための方法としてマスクパックが多用されている。
【０００３】
マスクパックは、化粧品や皮膚美容に効果を持つ液体が吸収されているパックを顔につけて化粧品などが肌の中に直接浸透するようにするスキンケア用品の一つである。このようなマスクパックは、内部に収納空間が形成された薄い容器に密封されて保管され、使用の際には密封状態を開封して使用する。
【０００４】
具体的には、従来のマスクパックは、ユーザーが容易に利用し得るようにするために、不織布などの支持体を一定の形状に圧縮させ、マッサージしようとする顔部位に被せることができるように円形や顔形などの多様な形態で発売されており、それぞれ単品として包装されて簡便に使用できるように市場に登場している。このようなマスクパックは、不織布などの支持体に所定の粘度の組成物が含浸または塗布された形態を有する。最近は、マスクパックの機能性を強化するために、皮膚美容に役立つ天然製の溶液及びビタミンなどを含む様々な成分が支持体に追加されている。
【０００５】
しかし、機能性物質の中には、ビタミンＣのように水分を含んだ成分に長時間さらされる場合、性質が変わったり機能が低下したりする物質があり、互いに異なる成分が長期間混ざっている場合には、それぞれの成分に変化が起こる場合が発生するおそれがある。さらに、皮膚美容に役立つ天然製の溶液などは、一般に、発酵熟成過程で抽出された天然製のエキスであって、夏季や高い室内温度では当該液体が酸化し或いは容易に腐敗してしまうことがある。
【０００６】
特に、マスクパックのシート材料として純綿やポリエステル不織布などの繊維組織が多く使われているが、このようなマスクパックシートに天然製エキスなどの液体が混合される場合、該当天然液体の変質が加速されるおそれがあるという問題点もある。このような理由から、マスクパック用液体をマスクシートとは別途に分離して収容するが、マスクシートとマスクパック用液体とを簡便に混合して使用することができる技術の開発が求められている。
【先行技術文献】
【特許文献】
【０００７】
【特許文献１】韓国特開１０−２０１６−００６１０７９号明細書
【発明の概要】
【発明が解決しようとする課題】
【０００８】
本発明は、上述した問題点を克服するためになされたもので、その目的は、マスクパックシートと一緒に収容されていたマスクパック用液体を別途の容器に分離して保管し、マスクパックの使用の際に、ユーザーが簡便な方法でマスクパック用液体をマスクシートに混合して使用できるようにすることにより、より新鮮で衛生的なマスクパックを使用することができ、これにより皮膚改善効果も増大させることができるマスクパックを提供することにある。
【課題を解決するための手段】
【０００９】
上記の目的を達成するために、本発明に係るマスクパックは、マスクシートを収容し、一面に貫通孔が設けられたポーチ及びプレート状の中央部が上方に凸状に突出して収容部を形成し、収容部に美容液が収容され、収容部はポーチの貫通孔を介して外部に突出し、収容部を除いた部分はポーチの内部でポーチの内側面に固定される本体と、該本体の下面をカバーリングして収容部を密閉し、外力によって切開または除去されて美容液がポーチの内部に吐出されることによりマスクシートに含浸されるようにするカバー部とを含むブリスターを含むことができる。
【００１０】
カバー部は高分子化合物からなることができる。
【００１１】
カバー部は、本体の下面に接着されて収容部を密閉することができる。
【００１２】
カバー部は、一定の厚さに形成され、幅方向に横切る一定の長さの溝を有することができる。
【００１３】
溝は、カバー部からポーチの内部に向かって露出する側に設けられ得る。
【００１４】
ブリスターが曲がるように本体の両端部に一定の大きさ以上の外力が作用するときに、カバー部に設けられた溝が切開され、収容部に収容された美容液がポーチの内部へ吐出されることによりマスクシートに含浸できる。
【００１５】
カバー部は、本体の下面をカバーリングして収容部を密閉する密閉部と、密閉部の一端から延びて形成された引き手部とを含むことができる。
【００１６】
密閉部は本体の下面に接着されて収容部を密閉することができる。
【００１７】
引き手部は密封部の一端から本体の最大長さよりも長く延びて形成できる。
【００１８】
引き手部は、一端部が本体の下面に接着され、他端部は本体の下面に接着された一端部を基準に密閉部の他端側に折り畳まれ得る。
【００１９】
ポーチの一面には、引き手部の他端部が貫通するスリットが設けられ得る。
【００２０】
ブリスターがポーチに固定されるとき、引き手部の他端部はポーチに設けられたスリットを貫通して外部に露出できる。
【００２１】
本体の一面には、引き手部の他端部が貫通するスリットが設けられ得る。
【００２２】
ポーチに設けられた貫通孔がブリスターの収容部よりも大きい場合には、ブリスターがポーチに固定されるとき、引き手部の他端部は、本体に設けられたスリット及びポーチの貫通孔を貫通して外部に露出し得る。
【００２３】
引き手部の他端部に一定の大きさ以上の外力が作用するとき、本体の下面に接着されて収容部を密閉する密閉部が除去され、収容部に収容された美容液がポーチの内部に吐出されることによりマスクシートに含浸され得る。
【００２４】
ブリスターは、収容部の縁における一部の区間であって、カバー部に接着され、収容部に一定の大きさ以上の圧力が作用する場合に接着が分離される第１接着部と、収容部の縁における、第１接着部を除いた残りの区間であって、カバー部に接着され、第１接着部よりも接着力が強い第２接着部と、第１接着部の外側に設けられ、本体とカバー部とが接着されていない一定の面積の非接着区間と、収容部の縁及び非接着区間の外側であって、本体とカバー部とが接着される第３接着区間と、非接着区間でカバー部が切開されて形成された切開ラインとを含むことができる。
【００２５】
収容部の一端と他端の縁は弧状からなり、第１接着部は収容部の他端の縁と同じ曲率を有する形状であり得る。
【００２６】
第１接着部は、本体とカバー部とがエンボス結合によって物理的に結合できる。
【００２７】
第２接着部は、接着剤を介して本体とカバー部とが化学的に結合できる。
【００２８】
非接着区間は、内側端、外側端及び両側端から構成できる。
【００２９】
第２接着部は、非接着区間の両側端にまで延びて形成できる。
【００３０】
内側端は収容部の他端部の縁から一定距離離隔して形成され、外側端は内側端から一定距離離隔して形成され、両側端は第２接着部の内側に形成され得る。
【００３１】
切開ラインは、非接着区間で第１接着部から一定距離離隔した位置に非接着区間の外側端に向かって凸な曲線状に切開されて形成され得る。
【００３２】
収容部に一定の大きさ以上の圧力が作用し、第１接着部が分離されて収容部内の美容液が吐出されるとき、切開ラインの形成されたカバー部が下方に折り曲げられ、折り曲げられた空間に吐出孔が生成され、吐出孔を介して美容液がポーチの内部に吐出されることによりマスクシートに含浸され得る。
【発明の効果】
【００３３】
本発明に係るマスクパックによれば、美容液を別途の容器に分離して保管し、マスクパックの使用の際に、ユーザーが簡単な方法で美容液をマスクシートに混合して使用できるようにすることにより、より新鮮で衛生的なマスクパックを使用することができ、これにより皮膚改善効果も増大させることができる。
【図面の簡単な説明】
【００３４】
【図１】本発明に係るマスクパックの構成を概略的に示す図である。
【図２】本発明に第１実施形態に係るマスクパックにおけるブリスターを示す斜視図である。
【図３】本発明の第１実施形態に係るマスクパックにおいてブリスターがポーチに挿入されている様子を示す図である。
【図４】図３のＡ−Ａ'方向に切って示す断面図である。
【図５】本発明の第１実施形態に係るマスクパックの実使用例を示す図である。
【図６】本発明の第２実施形態に係るマスクパックにおけるブリスターを示す分解斜視図である。
【図７】本発明の第２実施形態に係るマスクパックにおける、本体とカバー部とが結合されたブリスターの様子を示す図である。
【図８】本発明の第２実施形態に係るマスクパックにおいてブリスターがポーチに挿入されている様子を示す図である。
【図９】図８をＢ−Ｂ'方向に切って示す断面図である。
【図１０】本発明の第２実施形態に係るマスクパックの実使用例を示す図である。
【図１１】本発明の第３実施形態に係るマスクパックにおけるブリスターを示す斜視図である。
【図１２】本発明の第３実施形態に係るマスクパックにおけるブリスターを示す平面図である。
【図１３】本発明の第３実施形態に係るマスクパックにおいてブリスターがポーチに挿入されている様子を示す図である。
【図１４】図１３のＣ−Ｃ'方向に切って示す断面図である。
【図１５】本発明の第３実施形態に係るマスクパックの実使用例を示す図である。
【発明を実施するための形態】
【００３５】
以下、添付図面を参照して本発明の好適な実施形態に係るマスクパックについて説明する。
【００３６】
図１は本発明に係るマスクパックの構成を概略的に示す図である。図１に示すように、本発明に係るマスクパックは、マスクシート１１０を収容し、一面に貫通孔１２０が設けられたポーチ１００及びプレート状の中央部が上方に凸に突出して収容部２１１を形成し、収容部２１１に美容液が収容され、収容部２１１はポーチ１００の貫通孔１２０を介して外部に突出し、収容部２１１を除いた部分はポーチ１００の内部でポーチ１００の内側面に固定される本体２１０と、本体２１０の下面をカバーリングして収容部２１１を密閉し、外力によって切開または除去されて美容液がポーチ１００の内部に吐出されることによりマスクシート１１０に含浸されるようにするカバー部２２０とを含むブリスター２００を含んで構成できる。
【００３７】
このように、本発明のマスクパックによれば、美容液を別途のブリスターに分離して保管し、マスクパックの使用の際に、ユーザーが簡単な方法で収容部に外力を加えてカバー部を切開または除去した後、美容液をマスクシートに混合して使用できるようにすることにより、より新鮮で衛生的なマスクパックを使用することができ、これにより皮膚改善効果も増大させることができる。
【００３８】
以下、さまざまな実施形態に係る本発明のマスクパックについて図面を参照してより詳細に説明する。
【００３９】
図２は本発明に第１実施形態に係るマスクパックにおけるブリスターの斜視図であり、図３は第１実施形態に係るマスクパックにおいてブリスターがポーチに挿入されている様子を示す図であり、図４は図３のＡ−Ａ´方向に切って示す断面図であり、図５は本発明の第１実施形態に係るマスクパックの実使用例を示す図である。ここで、図２はブリスターのカバー部に設けられた溝を表示するためにブリスターを逆様にした状態の斜視図である。
【００４０】
本発明の第１実施形態に係るマスクパックは、マスクシート１１０を収容するポーチ１００と、本体２１０及びカバー部２２０を含むブリスター２００とを含んで構成できる。
具体的には、本体２１０は、プレート状の中央部が上方に凸状に突出して収容部２１１を形成し、収容部２１１に美容液が収容され、収容部２１１はポーチ１００の貫通孔１２０を介して外部に突出し、収容部２１１を除いた部分はポーチ１００の内部でポーチ１００の内側面に固定できる。このとき、本体２１０における、収容部２１１を除いた部分は、ポーチ１００の内側面に接着剤などを介して化学的に結合できる。すなわち、本体２１０における、収容部２１１を除いた部分は、接着剤などを介してポーチ１００の内側面と化学的に結合された完全接着状態であり得る。
【００４１】
また、カバー部２２０は、本体２１０の下面をカバーリングして収容部２１１を密閉することができる。このとき、カバー部２２０は、本体２１０の下面に接着剤などを介して化学的に結合されて収容部２１１を完全に密閉させることにより、収容部２１１内の美容液が吐出されることを防止することができる。
【００４２】
一方、カバー部２２０は、プラスチックなどを含む高分子化合物からなることができる。さらに、カバー部２２０は、一定の厚さに形成でき、図２に示すように、幅方向に横切る一定の長さの溝２２１を有することができる。このとき、溝２２１はカバー部２２０の厚さよりも薄く設けられ、図３に示すように、溝２２１はカバー部２２０からポーチ１００の内部に向かって露出する側に設けられ得る。
【００４３】
次に、図５を参照して、本発明の第１実施形態に係るマスクパックの実使用例を説明する。ブリスター２００が曲がるように本体２１０の両端部に一定の大きさ以上の外力が作用するとき、カバー部２２０に設けられた溝が切開され、収容部２１１に収容された美容液がポーチ１００の内部に吐出されることによりマスクシート１１０に含浸できる。このように、本発明の第１実施形態に係るマスクパックによれば、美容液を別途のブリスターに分離して保管し、マスクパックの使用の際に、ブリスターが曲がるように本体の両端部に一定の大きさ以上の外力を加え、カバー部に設けられた溝が切開されて収容部内の美容液が吐出されるようにすることにより、簡便な方法で美容液をマスクシートに混合して使用することができ、より新鮮で衛生的なマスクパックを使用することができ、それにより皮膚改善効果も増大させることができる。
【００４４】
以下、図６乃至図１０を参照して、本発明の第２実施形態に係るマスクパックについて詳細に説明する。
【００４５】
図６は本発明の第２実施形態に係るマスクパックにおけるブリスターの分解斜視図、 図７は本発明の第２実施形態に係るマスクパックにおける、本体とカバー部とが結合されたブリスターの様子を示す図、図８は本発明の第２実施形態に係るマスクパックにおいてブリスターがポーチに挿入されている様子を示す図、図９は図８をＢ−Ｂ'方向に切って示す断面図、図１０は本発明の第２実施形態に係るマスクパックの実使用例を示す図である。
【００４６】
本発明の第２実施形態に係るマスクパックは、マスクシート１１０を収容するポーチ１００と、本体２１０及びカバー部２２０を含むブリスター２００とを含んで構成できる。
具体的には、本体２１０は、プレート状の中央部が上方に凸状に突出して収容部２１１を形成し、収容部２１１に美容液が収容され、収容部２１１はポーチ１００の貫通孔１２０を介して外部に突出し、収容部２１１を除いた部分はポーチ１００の内部でポーチ１００の内側面に固定できる。このとき、本体２１０における、収容部２１１を除いた部分は、ポーチ１００の内側面に接着剤などを用いて化学的に結合できる。すなわち、本体２１０における、収容部２１１を除いた部分は、接着剤などを用いてポーチ１００の内側面と化学的に結合された完全接着状態であり得る。
【００４７】
カバー部２２０は、図６に示すように、本体２１０の下面をカバーリングして収容部２１１を密閉する密閉部２２２、及び密閉部２２２の一端から延びて形成された引き手部２２３を含んで構成できる。ここで、密閉部２２２は、本体２１０の下面に接着剤などを介して化学的に結合されて収容部２１１を完全に密閉させることにより、収容部２１１内の美容液が吐出されることを防止することができる。また、引き手部２２３は、密閉部２２２の一端から本体２１０の最大長さよりも長く延びて形成できるが、ここで、本体２１０の最大長さは本体２１０の幅であり得る。
【００４８】
一方、図７を参照すると、密閉部２２２が本体２１０の下面に接着されるとき、引き手部２２３の一端部２２３−１は本体２１０の下面に接着され、引き手部２２３の他端部は本体２１０の下面に接着された一端部２２３−１を基準に密閉部２２２の他端側に折り畳まれることができる。併せて、図８を参照すると、ポーチ１００の一面にはスリット１３０が設けられ得るが、ブリスター２００がポーチ１００に固定されるときに、密閉部２２２の他端側に折り畳まれた引き手部２２３の他端部は、ポーチ１００の一面に設けられたスリット１３０を介して外部に露出できる。
【００４９】
次に、図１０を参照して、本発明の第２実施形態に係るマスクパックの実使用例を説明する。ポーチ１００のスリット１３０を介して外部に露出した引き手部２２３の他端部に一定の大きさ以上の外力が作用すると、本体２１０の下面に接着されて収容部２１１を密閉している密閉部２２２が除去され、収容部２１１に収容された美容液がポーチ１００の内部へ吐出されることにより、マスクシート１１０に含浸できる。このように、本発明の第２実施形態に係るマスクパックによれば、美容液を別途のブリスターに分離して保管し、マスクパックの使用の際に、ポーチの外部へ露出している引き手部を一定の大きさ以上の力で引っ張ることにより、本体の下面に接着されて収容部を密閉している密閉部を除去して収容部内の美容液が吐出されるようにすることにより、簡便な方法で美容液をマスクシートに混合して使用することができ、より新鮮で衛生的なマスクパックを使用することができ、それにより皮膚改善効果も増大させることができる。
【００５０】
一方、他の実施形態によって、本体２１０の一面には、引き手部２２３の他端部が貫通しうるスリット（図示せず）が設けられ、ポーチ１００に設けられた貫通孔１２０がブリスター２００の収容部２１１よりも大きいこともある。言い換えれば、ブリスター２００がポーチ１００に固定されるときに、本体２１０の一面は、パウチ１００に設けられた貫通孔１２０を介して外部に露出することができる。併せて、このような場合、ブリスター２００がポーチ１００に固定されるときに、引き手部２２３の他端部は、本体２１０に設けられたスリット（図示せず）及びポーチ１００の貫通孔１２０を貫通して外部に露出することができる。このとき、マスクパックを使用する方法は、図１０を参照して説明した方法と同様である。
【００５１】
以下、図１１乃至図１５を参照して本発明の第３実施形態に係るマスクパックについて詳細に説明する。
【００５２】
図１１は本発明の第３実施形態に係るマスクパックにおけるブリスターを示す斜視図、図１２は本発明の第３実施形態に係るマスクパックにおけるブリスターを示す平面図、図１３は本発明の第３実施形態に係るマスクパックにおいてブリスターがポーチに挿入されている様子を示す図、図１４は図１３のＣ−Ｃ'方向に切って示す断面図、図１５は本発明の第３実施形態に係るマスクパックの実使用例を示す図である。
【００５３】
本発明の第３実施形態に係るマスクパックは、マスクシート１１０を収容するポーチ１００、及びブリスター２００を含んで構成できる。
【００５４】
具体的には、図１１及び図１２に示すように、ブリスター２００は、収容部２１１の縁における一部の区間であって、カバー部２２０に接着され、収容部２１１に一定の大きさ以上の圧力が作用される場合に接着が分離される第１接着部３００と、収容部２１１の縁における第１接着部３００を除いた残りの区間であって、カバー部２２０に接着され、第１接着部３００よりも接着力が強い第２接着部４００と、第１接着部３００の外側に設けられ、本体２１０とカバー部２２０とが接着されていない一定の面積の非接着区間５００と、収容部２１１の縁及び非接着区間５００の外側であって、本体とカバー部とが接着される第３接着区間６００と、非接着区間５００でカバー部２２０が切開されて形成された切開ライン５１０とを含んで構成できる。ここで、収容部２１１の一端と他端の縁は弧状を成して形成できる。
【００５５】
より具体的には、第１接着部３００は、収容部２１１の縁における一部の区間であって、カバー部２２０に接着されて形成でき、収容部２１１の他端の縁と同じ曲率を持つことができる。具体的には、第１接着部３００は、本体２１０とカバー部２２０との間に形成されるものであって、より具体的には、本体２１０の収容部２１１の縁における一部の区間がカバー部２２０とエンボス形状によって物理的に結合された形態であり得る。すなわち、第１接着部３００は、追って説明する第２接着部４００とは異なり、接着剤などを用いて本体２１０とカバー部２２０とを完全接着させた状態ではなく、エンボス結合によって本体２１０とカバー部２２０とが物理的に係合されている状態である。このように、第１接着部３００は、本体２１０とカバー部２２０とが物理的に係合されている状態であるので、収容部２１１に一定の大きさ以上の圧力が加わる場合には、該当圧力によって、物理的に結合されている本体２１０とカバー部２２０との接着が分離できる。
【００５６】
一方、第１接着部３００は、収容部２１１内の美容液が収容部２１１の外に吐出されることを防止する役目をするが、第１接着部３００の面積によって第１接着部３００による接着力が異なり得る。例えば、第１接着部３００の面積があまり狭い場合には、本体２１０とカバー部２２０とがエンボシングによって物理的に結合されている面積が狭くなって第１接着部３００の接着力が小さくなることができ、これにより、収容部２１１に小さな圧力が加わる場合でも、第１接着部３００を用いた接着がより容易に分離されて収容部２１１内の美容液が吐出される場合が発生することがある。このような問題点を防止するために、第１接着部３００の面積は一定の大きさ以上の面積にすることが好ましい。
第２接着部４００は、収容部２１１の縁における、第１接着部３００を除いた残りの区間であって、カバー部２２０に接着されて形成できる。このとき、第２接着部４００は、第１接着部３００よりも接着力が強いことがある。より具体的には、第２接着部４００は、接着剤を用いて本体２１０とカバー部２２０とが化学的に結合された状態であり得る。すなわち、第２接着部４００は、接着剤などを用いて本体２１０とカバー部２２０とが化学的に結合された完全接着状態である。収容部２１１に一定の大きさ以上の圧力が加わっても、第２接着部４００を介して収容部２１１内の美容液が吐出されないようにすることができる。
【００５７】
このように、収容部２１１に一定の大きさ以上の圧力が加わるとき、第２接着部４００側には美容液が吐出されないようにし、第１接着部３００側にのみ美容液が吐出されるようにして、美容液がより狭い面積にのみ吐出されるようにすることにより、美容液がより迅速に吐出されるようにすることができる。また、美容液の吐出速度が速くなるほど、マスクパックポーチの下端部まで美容液が均一に浸透することができるが、本発明では、上述したように美容液の吐出速度を最大限に上昇させることにより、美容液がマスクシートの下端部にまで均一に浸透するようにすることができる。
【００５８】
一方、第２接着部４００は、図１２に示すように、後述する非接着区間５００の両側端にまで延びて形成できる。
【００５９】
非接着区間５００は、図１２に示すように、第１接着部３００の外側に設けられ、内側端５３０、外側端５４０及び両側端５５０から構成できる。ここで、非接着区間５００は、本体２１０とカバー部２２０とが接着されていない状態であり、一定の面積を持つように形成できる。
【００６０】
さらに具体的には、図１２を参照すると、内側端５３０は収容部２１１の他端部２１３の縁から一定距離離隔して形成され、外側端５４０は内側端５３０から一定距離離隔して形成され、両側端５５０は第２接着部４００の内側に形成され得る。すなわち、非接着区間５００は、第１接着部３００、第２接着部４００及び後述の第３接着区間６００に囲まれて形成された区間であって、本体２１０とカバー部２２０とが接着されていない状態である。これにより、収容部２１１に一定の大きさ以上の圧力が加わって第１接着部３００の接着が分離されて収容部２１１内の美容液が吐出される場合、吐出された美容液は、第２接着部４００及び第３接着部６００を介して吐出されずに非接着区間５００の一定の面積にわたって溜まる。
【００６１】
切開ライン５１０は、非接着区間５００でカバー部２２０が切開されて形成できる。より具体的には、切開ライン５１０は、第１接着部３００と一定の距離離隔した位置に非接着区間５００の外側端５４０に向かって凸な曲線状に切開されて形成できる。
【００６２】
また、収容部２１１に一定の大きさ以上の圧力が作用して第１接着部３００が分離されて収容部２１１内の美容液が吐出されるときに、美容液の圧力によって、切開ライン５１０の形成されたカバー部２２０が下方に折り曲げられるが、切開ライン５１０の形成されたカバー部が下方に折り曲げられることにより、図１５に示すような吐出孔５２０が設けられ得る。
【００６３】
このように、本発明では、切開ライン５１０が外側端５４０に向かって凸な曲線状に切開されて形成されることにより、収容部２１１内の美容液が吐出されるとき、切開ライン５１０の形成されたカバー部がより容易に折り曲げられて下方に曲がって吐出孔５２０を形成し、吐出孔５２０を介してより広い面積に美容液がよく吐出され得る。もし、切開ライン５１０が一字状に形成された場合、切開ライン５１０が形成されたカバー部の隙間が開き難くなり、収容部２１１から吐出された美容液がマスクパックポーチへよく吐出されないという問題が発生する。本発明では、切開ライン５１０を外側端５４０に向かって凸な曲線状に切開することにより、上記の問題を解決したのである。
【００６４】
第３接着区間６００は、収容部２１１の縁及び非接着区間５００の外側であって、本体２１０とカバー部２２０とが接着された状態である。すなわち、第３接着区間６００は、図１２に示すように、第２接着部４００及び非接着区間５００の外側端５４０の外側に形成された一定の面積を有する区間であり得る。実施形態によって、第３接着区間６００は、本体２１０とカバー部２２０とがエンボシングを介して物理的に結合してもよく、他の実施形態によって、本体２１０とカバー部２２０とが接着剤などを用いて化学的に結合してもよい。
【００６５】
次に、図１５を参照して、本発明の第３実施形態に係るマスクパックの実使用例を説明する。ポーチ１００の外部に露出された収容部２１１に一定の大きさ以上の圧力が作用して、第１接着部３００が分離されて収容部２１１内の美容液が吐出されるとき、切開ライン５１０の形成されたカバー部２２０が下方に折り曲げられ、折曲空間に吐出孔５２０が生成され、吐出孔５２０を介して美容液がポーチ１００の内部に吐出されることによりマスクシートに含有できる。このように、本発明の第３実施形態に係るマスクパックによれば、美容液を別途のブリスターに分離して保管し、マスクパックの使用の際に、ポーチの外部に露出している収容部を一定の大きさ以上の力で押して、第１接着部による本体とカバー部との接着が分離されるようにして水溶部内の美容液を吐出させ、吐出された美容液の圧力によって、生成された吐出孔を介して美容液がポーチの内部へ吐出されるようにすることにより、簡便な方法で美容液をマスクシートに混合して使用することができ、より新鮮かつ衛生的なマスクパックを使用することができ、それにより皮膚改善効果も増大させることができる。
【００６６】
一方、実施形態によって本発明に係るマスクパックにおいて、ポーチ１００の内部に収容されたマスクシート１１０は、基本的な美容液などに浸漬されている状態であり得る。このような場合には、マスクパックの使用の際に、前述した方式による簡単な方法で収容部内の美容液がポーチの内部へ吐出されるようにすることにより、収容部内の美容液が、基本的な美容液に浸漬されているマスクシートに含浸されるようにすることができ、互いに異なる複数の美容液の化学反応などによって美容効果をさらに向上させることができる。
【符号の説明】
【００６７】
１００    ポーチ
１１０    マスクシート
１２０    貫通孔
１３０    スリット
２００    ブリスター
２１０    本体
２１１    収容部
２２０    カバー部
２２１    溝
２２２    密閉部
２２３    引き手部
３００    第１接着部
４００    第２接着部
５００    非粘着区間
５１０    切開ライン
５２０    吐出孔
５３０    内側端
５４０    外側端
５５０    両側端
６００    第３接着区間
【図１】
2019155051.tif 000003
【図２】
2019155051.tif 000004
【図３】
2019155051.tif 000005
【図４】
2019155051.tif 000006
【図５】
2019155051.tif 000007
【図６】
2019155051.tif 000008
【図７】
2019155051.tif 000009
【図８】
2019155051.tif 000010
【図９】
2019155051.tif 000011
【図１０】
2019155051.tif 000012
【図１１】
2019155051.tif 000013
【図１２】
2019155051.tif 000014
【図１３】
2019155051.tif 000015
【図１４】
2019155051.tif 000016
【図１５】
2019155051.tif 000017